(57)【要約】【課題】シートバックの前倒れ回転を途中止めするストッパ構造をストッパ機能する状態と機能しない状態との間で切換える操作の操作性を向上させる。【解決手段】シートバック２の前倒れ回転を前傾位置にて途中止めしたり大倒し位置まで倒し込めるようにしたりする車両用シート１である。シートバック２にはシートクッション３がリンク連結されており、シートクッション３にはフロントリンク５がリンク連結されており、シートバック２の前倒れ回転に連動してフロントリンク５が倒れ込み回転してシートクッション３が下方側に沈み込む。フロントリンク５とシートクッション３とのリンク連結部には、フロントリンク５の回転移動を係止させてシートバック２の前倒れ回転を前傾位置に途中止めするストッパ構造４０が設けられている。ストッパ構造４０は、ストッパとして機能する状態と機能しない状態とに切換えられたそれぞれの位置に附勢によって保持される。【選択図】図１
2010149821.tif 000002
【特許請求の範囲】
【請求項１】
背凭れとなるシートバックの前倒れ回転を前傾位置にて途中止めしたり前傾位置を越えた大倒し位置まで倒し込めるようにしたりすることのできる車両用シートであって、
前記シートバックには着座部となるシートクッションがリンク連結されており、該シートクッションは更にフロアに対して起倒回転可能に設けられた起倒リンクにリンク連結されていることにより前記シートバックの前倒れ回転に連動して前記起倒リンクを倒れ込み回転させながら下方側に沈み込むようになっており、
前記起倒リンクとシートクッションとのリンク連結部には該シートクッションに対する起倒リンクの回転移動を係止させて前記シートバックの前倒れ回転を前傾位置にて途中止めすることのできるストッパ構造が設けられており、該ストッパ構造は前記起倒リンクのストッパとして機能する状態と機能しない状態とに切換え可能に構成されており、ストッパとして機能しない状態時には前記シートバックの前倒れ回転を大倒し位置まで許容するようになっており、前記ストッパ構造には該ストッパ構造をストッパとして機能する状態と機能しない状態とに切換えたそれぞれの位置にて保持することのできる保持構造が設けられていることを特徴とする車両用シート。
【請求項２】
請求項１に記載の車両用シートであって、
前記保持構造は前記ストッパ構造をストッパとして機能する状態と機能しない状態とに切換えることによって該ストッパ構造にかける附勢バネの附勢力の附勢方向を変更させて該ストッパ構造を切換えたそれぞれの位置に附勢によって保持できるようにするターンオーバー構造であることを特徴とする車両用シート。
【請求項３】
請求項１又は請求項２に記載の車両用シートであって、
前記シートバックは回転留め可能な回転軸装置として機能するリクライニング装置を介してフロアに対して車両前後方向にスライド可能に設けられたベース体に連結されており、前記起倒リンクは前記シートクッションと前記ベース体とをリンク連結して設けられており、当該車両用シートに設けられたウォークインレバーの操作により前記リクライニング装置による回転留め状態が解除されると共に前記ストッパ構造がストッパ機能する状態とされて前記シートバックが前傾位置まで前倒れ回転して途中止めされると共に前記ベース体のフロアに対するスライドロック状態が解除されて当該車両用シートが車両前方側に退避移動できる状態に切換えられ、前記車両用シートに設けられたチルトダウンレバーの操作より前記リクライニング装置による回転留め状態が解除されると共に前記ストッパ構造がストッパ機能しない状態とされて前記シートクッションが下方側に大きく沈み込むと共にその上面部に前記シートバックが畳み込まれるようにして大倒し位置まで倒し込まれることを特徴とする車両用シート。
【請求項４】
請求項２又は請求項３に記載の車両用シートであって、
前記ストッパ構造は前記シートクッションに回転可能に軸支連結されて設けられた角部材が前記起倒リンクの倒れ込み回転に伴って該起倒リンクに設けられた係止部と突き当たることで該起倒リンクの倒れ込み回転を係止させる構成となっており、前記角部材は前記シートクッションとの間に掛着された前記附勢バネとしての引張バネの附勢力によって回転附勢されており、該引張バネは前記角部材を前記係止部と突き当ててストッパ機能させることのできる状態と該係止部との当接を回避させることのできる状態とに回転移動によって切換えることによりその附勢方向が切換えられて該角部材を切換えたそれぞれの位置に附勢によって保持するようになっていることを特徴とする車両用シート。
【請求項５】
請求項４に記載の車両用シートであって、
前記角部材は常時は前記引張バネの附勢力によってストッパ機能する状態に保持されているが、前記シートバックを大倒し位置まで倒し込む際の操作によって回転操作されてストッパ機能しない状態に切換えられて保持されるようになっており、該角部材は前記シートバックを大倒し位置まで倒し込む時の前記起倒リンクの倒れ込み回転に伴って該起倒リンクに形成された脚部によって押し蹴られて回転しストッパ機能する状態に向けて押し戻されるようになっており、該押し戻される回転移動に伴って前記附勢バネの附勢方向も該角部材をストッパ機能させる状態に保持する方向に切換えられることを特徴とする車両用シート。
【発明の詳細な説明】
【技術分野】
【０００１】
本発明は、車両用シートに関する。詳しくは、背凭れとなるシートバックの前倒れ回転を前傾位置にて途中止めしたり前傾位置を越えた大倒し位置まで倒し込めるようにしたりすることのできる車両用シートに関する。
【背景技術】
【０００２】
従来、車両用シートにおいて、シートバックを前傾位置まで倒し込んで保持する途中止め操作と、シートクッションを下方側に沈み込ませてその上面部にシートバックを大倒しするチルトダウン操作とが行えるようになっているものがある。ここで、下記特許文献１には、上記したシートバックの前倒れ回転を途中止めする途中止め構造が開示されている。
【０００３】
この開示では、シートバックの前倒れ回転を途中止めする機能をもつ中間ストッパが、シートバックをフロアに対して支持するベースフレームに設けられている。そして、中間ストッパは、常時は、シートバックを途中止めすることのできる位置に保持されているが、チルトダウンレバーを操作することによって、ストッパ機能しない退避位置へと移動操作されるようになっている。
【０００４】
【特許文献１】特許第３７２３７９７号明細書
【発明の開示】
【発明が解決しようとする課題】
【０００５】
しかし、上記開示の従来技術では、チルトダウンレバーを操作してシートバックを前倒れ回転させていく途中で同レバーの操作をやめることにより、中間ストッパが退避位置から元のストッパ機能する位置へと戻されてしまう構成となっている。このように、チルトダウンレバーは、シートバックの前倒れ回転がある程度進行するまでその操作を継続して行わなければならず、操作性の悪いものとなっている。
【０００６】
本発明は、上記した問題を解決するものとして創案されたものであって、本発明が解決しようとする課題は、シートバックの前倒れ回転を途中止めするストッパ構造をストッパ機能する状態とストッパ機能しない状態との間で切換える切換え操作の操作性を向上させることにある。
【課題を解決するための手段】
【０００７】
上記課題を解決するために、本発明の車両用シートは次の手段をとる。
先ず、第１の発明は、背凭れとなるシートバックの前倒れ回転を前傾位置にて途中止めしたり前傾位置を越えた大倒し位置まで倒し込めるようにしたりすることのできる車両用シートである。シートバックには、着座部となるシートクッションがリンク連結されている。シートクッションは、更に、フロアに対して起倒回転可能に設けられた起倒リンクにリンク連結されていることにより、シートバックの前倒れ回転に連動して起倒リンクを倒れ込み回転させながら下方側に沈み込むようになっている。起倒リンクとシートクッションとのリンク連結部には、シートクッションに対する起倒リンクの回転移動を係止させてシートバックの前倒れ回転を前傾位置にて途中止めすることのできるストッパ構造が設けられている。ストッパ構造は、起倒リンクのストッパとして機能する状態と機能しない状態とに切換え可能に構成されており、ストッパとして機能しない状態時には、シートバックの前倒れ回転を大倒し位置まで許容するようになっている。ストッパ構造には、ストッパ構造をストッパとして機能する状態と機能しない状態とに切換えたそれぞれの位置にて保持することのできる保持構造が設けられている。
【０００８】
この第１の発明によれば、ストッパ構造によって起倒リンクの倒れ込み回転が途中止めされることにより、シートバックの前倒れ回転が前傾位置にて途中止めされる。また、ストッパ構造がストッパ機能しない状態時には、起倒リンクの倒れ込み回転は途中止めされず、シートバックの前倒れ回転が大倒し位置まで行われる。このように、ストッパ構造を起倒リンクとシートクッションとのリンク連結部に設けて起倒リンクの倒れ込み回転を規制する構成とすることで、ストッパ構造を小型に構成して見栄え良く配置することができる。また、ストッパ構造は、保持構造によって、ストッパとして機能する状態と機能しない状態とに切換えたそれぞれの位置にて保持されることから、切換え操作状態を維持する必要がなく、切換え操作の操作性を向上させることができる。
【０００９】
次に、第２の発明は、上述した第１の発明において、保持構造は、ストッパ構造をストッパとして機能する状態と機能しない状態とに切換えることによって、ストッパ構造にかける附勢バネの附勢力の附勢方向を変更させて、ストッパ構造を切換えたそれぞれの位置に附勢によって保持できるようにするターンオーバー構造となっている。
【００１０】
この第２の発明によれば、保持構造は、ストッパ構造の切換え操作によって、附勢バネの附勢方向も切換えられて、ストッパ構造を切換えたそれぞれの位置に保持できるようにするターンオーバー構造として構成される。このように、保持構造を、附勢バネの附勢方向を切換える構造として、比較的簡素に具現化して構成することができる。
【００１１】
次に、第３の発明は、上述した第１又は第２の発明において、シートバックは、回転留め可能な回転軸装置として機能するリクライニング装置を介して、フロアに対して車両前後方向にスライド可能に設けられたベース体に連結されている。起倒リンクは、シートクッションとベース体とをリンク連結して設けられている。車両用シートに設けられたウォークインレバーの操作により、リクライニング装置による回転留め状態が解除されると共に、ストッパ構造がストッパ機能する状態とされて、シートバックが前傾位置まで前倒れ回転して途中止めされると共に、ベース体のフロアに対するスライドロック状態が解除されて、車両用シートが車両前方側に退避移動できる状態に切換えられる。車両用シートに設けられたチルトダウンレバーの操作により、リクライニング装置による回転留め状態が解除されると共に、ストッパ構造がストッパ機能しない状態とされて、シートクッションが下方側に大きく沈み込みと共にその上面部にシートバックが畳み込まれるようにして大倒し位置まで倒し込まれる。
【００１２】
この第３の発明によれば、車両用シートは、ウォークインレバーの操作により、シートバックを前傾位置まで倒し込んだ状態として、車両前方側にスライドさせることのできる状態となる。これにより、車両用シートの設置されていたスペースを広く空けることができるようになり、その後側のシートへの着座乗員が、その空いたスペースからゆったりと乗降することができるようになる。また、車両用シートは、チルトダウンレバーの操作により、シートクッションを下方側に大きく沈み込ませた状態として、その上面部にシートバックを畳み込んだ状態となる。これにより、車両用シートを下方側に小さく畳み込んだ状態とすることができる。
【００１３】
次に、第４の発明は、上述した第２又は第３の発明において、ストッパ構造は、シートクッションに回転可能に軸支連結されて設けられた角部材が、起倒リンクの倒れ込み回転に伴って、起倒リンクに設けられた係止部と突き当たることで起倒リンクの倒れ込み回転を係止させる構成となっている。角部材は、シートクッションとの間に掛着された附勢バネとしての引張バネの附勢力によって回転附勢されている。引張バネは、角部材を係止部と突き当ててストッパ機能させることのできる状態と、係止部との当接を回避させることのできる状態とに回転移動によって切換えることにより、その附勢方向が切換えられて、角部材を切換えたそれぞれの位置に附勢によって保持するようになっている。
【００１４】
この第４の発明によれば、角部材は、引張バネの附勢力によって回転附勢されており、係止部と突き当たってストッパ機能する状態、或いは、係止部との当接を回避したストッパ機能しない状態に切換えられることにより、引張バネの附勢方向が切換えられて、それぞれの切換えられた位置にて附勢によって保持される。このように、保持構造を、引張バネを用いたターンオーバー構造として、比較的簡素に具現化して構成することができる。
【００１５】
次に、第５の発明は、上述した第４の発明において、角部材は、常時は引張バネの附勢力によってストッパ機能する状態に保持されているが、シートバックを大倒し位置まで倒し込む際の操作によって回転操作されてストッパ機能しない状態に切換えられて保持されるようになっている。角部材は、シートバックを大倒し位置まで倒し込む時の起倒リンクの倒れ込み回転に伴って、起倒リンクに形成された脚部によって押し蹴られて回転し、ストッパ機能する状態に向けて押し戻されるようになっている。そして、この押し戻される回転移動に伴って、附勢バネの附勢方向も、角部材をストッパ機能させる状態に保持する方向に切換えられる。
【００１６】
この第５の発明によれば、角部材は、シートバックが大倒しされる際の操作によって、ストッパ機能する状態からストッパ機能しない状態へと切換えられる。そして、この切換えによって、引張バネの回転附勢方向が切換えられて、角部材が切換えられた回転位置状態に附勢によって保持される。そして、角部材は、シートバックの大倒しに伴って、起倒リンクに形成された脚部に押し蹴られて回転し、ストッパ機能する状態に向けて押し戻される。そしてこれにより、附勢バネの附勢方向も、角部材をストッパ機能させる回転位置状態に保持する方向に切換えられる。このように、シートバックの大倒しによって、角部材を再びストッパ機能させられる状態に戻すことができるため、ストッパ構造の切換え操作の操作性をより一層向上させることができる。
【発明を実施するための最良の形態】
【００１７】
以下に、本発明を実施するための最良の形態の実施例について図面を用いて説明する。
【実施例１】
【００１８】
始めに、実施例１の車両用シート１について、図１〜図１０を用いて説明する。本実施例の車両用シート１は、図１に示されるように、３列シートを備えた車両の２列目のシートとして採用されている。この車両用シート１は、着座乗員の背凭れとなるシートバック２と、着座部となるシートクッション３とを有し、これらがベースフレーム４に連結されてフロアＦに対して支持された構成となっている。ここで、ベースフレーム４が本発明のベース体に相当する。
【００１９】
詳しくは、上記したシートバック２は、その骨格を成すバックフレーム２Ｆが門型に形成されており、その両脚を成す下端側部分が、それぞれ、それらの外側に設けられたベースフレーム４に対してリクライニング装置１０を介して連結されている。ここで、リクライニング装置１０は、回転留め可能な回転軸装置として構成されており、常時は回転留めされた状態（ロック状態）となって、シートバック２のベースフレーム４に対する背凭れ角度を固定した状態となって保持されている。
【００２０】
そして、各リクライニング装置１０は、車両用シート１のアウター側の側部（着座乗員から見て左側の側部）に設けられたウォークインレバー６が引き上げ操作されることによって、それらの回転留め状態が一斉に解除操作されるようになっている。具体的には、上記したウォークインレバー６は、第１解除ケーブル８によって、各側のリクライニング装置１０のロック解除の切換え操作を行う操作アーム１１と繋がれている。
【００２１】
詳しくは、第１解除ケーブル８は、途中で二股に分岐されており、その分岐された各側の端部が、前述した各側のリクライニング装置１０の操作アーム１１と繋がれている。これにより、ウォークインレバー６は、その引き上げ操作によって、各側のリクライニング装置１０の操作アーム１１を操作して、これらの回転留め状態を一斉に解除操作することができるようになっている。
【００２２】
そして、この解除操作によって、シートバック２の背凭れ角度の固定状態が解除されるため、シートバック２が各リクライニング装置１０の回転中心１０Ｒのまわりを回転移動することのできる状態、すなわち、背凭れ角度の調整操作が行える状態となる。そして、シートバック２の背凭れ角度を調整し、ウォークインレバー６の操作をやめることにより、各リクライニング装置１０が再び回転留めされた状態に戻されて、シートバック２がその調整された背凭れ角度位置に固定された状態となる。
【００２３】
ここで、上記したシートバック２（バックフレーム２Ｆ）とベースフレーム４との間には、シートバック２に常時前回転させる方向の附勢力をかける附勢バネ（図示省略）が掛着されている。これにより、シートバック２は、上記したウォークインレバー６の操作が行われて、各リクライニング装置１０の回転留め状態が解除されることにより、附勢によって前回転方向に移動操作されるようになっている。
【００２４】
ここで、上記したベースフレーム４には、上記したシートバック２の前回転移動を受けて回転操作される解除リンク３０が設けられている。この解除リンク３０は、図２に示されるように、支軸３１によってベースフレーム４に回転可能に軸支連結されており、シートバック２が前傾してくる前の常時は、図示しない附勢バネの附勢力によって、同図に示されている待機位置にて保持されている。
【００２５】
そして、図７に示されるように、解除リンク３０は、シートバック２が前回転してくることにより、そのリンクの上端部に設けられた係合ピン３２が、バックフレーム２Ｆの下端部に形成された脚部２Ｂによって押し蹴られて、支軸３１のまわりに図示時計回り方向に回転操作される。ここで、解除リンク３０には、ベースフレーム４をフロアＦに対してスライドロックしているスライダ装置２０のスライドロック状態を解除操作する第３解除ケーブル２５が繋がれている。この第３解除ケーブル２５は、上記のように解除リンク３０が押し回されることによって牽引操作され、スライダ装置２０のスライドロック状態を解除操作するようになっている。
【００２６】
ここで、スライダ装置２０は、フロアＦ上に固定設置されたロアレール２２と、ベースフレーム４の下面部に固定設置されたアッパレール２１とを有し、アッパレール２１がロアレール２２に対して車両前後方向にスライド移動可能となるように組み付けられた構成となっている。そして、上記したアッパレール２１には、ロアレール２２に係合することによってアッパレール２１のスライド移動（相対移動）をロックすることのできるロック機構部２３が設けられている。
【００２７】
このロック機構部２３は、常時は、図示しない附勢バネの附勢力によって、アッパレール２１のスライド移動をロックした状態となって保持されている。そして、ロック機構部２３は、上記した解除リンク３０に繋がれた第３解除ケーブル２５と繋がれており、第３解除ケーブル２５がシートバック２の前回転移動によって牽引操作されることにより、そのロック状態が解除されるようになっている。
【００２８】
したがって、この解除によって、アッパレール２１がロアレール２２に対してスライド移動することのできる状態となる。ここで、上記したベースフレーム４に形成されたバネ掛部４Ｂとロアレール２２に形成されたバネ掛部２２Ａとの間には、アッパレール２１を常時車両前方側（図示左方側）に移動附勢する引張バネ２６が掛着されている。これにより、車両用シート１は、上記したウォークインレバー６の操作によってシートバック２が前回転することにより、スライダ装置２０のスライドロック状態が解除されて、附勢によって車両前方側に移動操作されるようになっている。
【００２９】
なお、上記したスライダ装置２０のロック機構部２３のロック解除操作は、通常の着座使用時に、シートクッション３の前下部に延出して設けられた解除レバー２４を着座乗員が引き上げ操作することによっても行えるようになっている。
【００３０】
このように、車両用シート１は、ウォークインレバー６が操作されることによって、シートバック２が後述するストッパ構造４０によって回転留めされる前傾姿勢位置まで前回転操作されると共に、スライダ装置２０のスライドロック状態が解除されて、シート全体が車両前方側にスライド操作されるようになっている。そして、この移動によって、車両用シート１の設置されていたスペースが広く空けられるため、その後側の３列目シート（図示省略）への着座乗員が、その空いたスペースからゆったりと乗降することができるようになる。
【００３１】
なお、上述した解除リンク３０やスライダ装置２０やストッパ構造４０は、それぞれ、車両用シート１の左右両側部に左右一対で設けられている。ところで、図２に戻って、上述したシートクッション３は、その骨格を成すクッションフレーム３Ｆが、丸パイプによって四角枠状に組まれて構成されている。このクッションフレーム３Ｆは、その左右両側の前部が、それぞれ、フロントリンク５を介してベースフレーム４と連結されており、左右両側の後部が、それぞれ、ブーメランリンク３Ｄを介してバックフレーム２Ｆと連結されている。
【００３２】
ここで、フロントリンク５が本発明の起倒リンクに相当する。詳しくは、フロントリンク５は、その上端部が、支軸５Ａによってクッションフレーム３Ｆに結合固定されたリンクブラケット３Ｍに回転可能に軸支連結されており、下端部が、支軸５Ｂによってベースフレーム４に回転可能に軸支連結されている。また、ブーメランリンク３Ｄは、Ｌ字状に折り曲げられた形状となっており、その前方側を向くアーム部分が、クッションフレーム３Ｆの側部に一体的に結合固定され、後端側の上方側を向くアーム部分が、支軸３Ｔによってバックフレーム２Ｆに回転可能に軸支連結されている。
【００３３】
これにより、シートクッション３は、前述したリクライニング装置１０が回転留め状態となっている時には、フロントリンク５とブーメランリンク３Ｄとによる支えによって、シートバック２の固定された傾き姿勢に応じた姿勢位置に保持されるようになっている。そして、シートクッション３は、図７に示されるように、ウォークインレバー６の操作が行われて、リクライニング装置１０の回転留め状態が解除されることにより、シートバック２の前回転移動に伴って、支軸３Ｔによって後方側から押されるようにして、フロントリンク５を前倒れ回転させながら下方側に沈み込み操作されるようになっている。
【００３４】
そして、このウォークインレバー６を操作した時のシートクッション３の沈み込み移動は、フロントリンク５とシートクッション３とのリンク連結部（支軸５Ａによるリンク連結部）に設けられたストッパ構造４０によって、フロントリンク５の倒れ込み回転が途中止めされることで係止されるようになっている。しかし、車両用シート１は、図８〜図１０に示されるように、上記したウォークインレバー６と共に車両用シート１のアウター側の側部に設けられたチルトダウンレバー７の引き上げ操作が行われた時には、上記したストッパ構造４０によるフロントリンク５の倒れ込み回転の途中止めが行われないようになっており、シートバック２の前回転移動が大倒し位置まで行われるようになっている。
【００３５】
以下、上記したストッパ構造４０の構成について詳しく説明していく。すなわち、図２に示されるように、ストッパ構造４０は、フロントリンク５の上端部に一体的に連結されて設けられたカム形状の係止体４１と、リンクブラケット３Ｍに回転可能に軸支連結されて設けられたアーム形状の角部材４２とによって構成されている。詳しくは、係止体４１は、フロントリンク５と共に支軸５Ｂに一体的に連結されて設けられており、支軸５Ｂがリンクブラケット３Ｍに回転可能に軸支連結されていることによって、フロントリンク５と一体的となって回転できるようになっている。
【００３６】
ここで、上記した係止体４１は、図２〜図３に示されるように、二枚のカム体によって構成されており、一方のカム体の外周面上の一部に段差状に突出した角部４１Ｄを有し、他方のカム体に腕状に延び出した脚部４１Ｅを有して成る。ここで、角部４１Ｄが本発明の係止部に相当する。一方、角部材４２は、支軸４２Ａによってリンクブラケット３Ｍに回転可能に軸支連結されて設けられている。この角部材４２は、二枚のアーム体によって構成されており、一方のアーム体に腕状に延び出す角部４２Ｄを有し、他方のアーム体に二方向に腕状に延び出すバネ操作部４２Ｂとケーブル操作部４２Ｃとを有して成る。
【００３７】
そして、上記した角部材４２には、図示上方側に延び出すバネ操作部４２Ｂとリンクブラケット３Ｍに折り曲げ形成されたバネ掛部３Ｍｄとの間に、引張バネ４３が掛着されている。この引張バネ４３は、同図に示されるように、その附勢ラインとなる中心ライン４３Ａが、角部材４２の回転中心となる支軸４２Ａの軸心よりも図示上方側に位置している通常時には、角部材４２を図示時計回り方向に回転附勢するようになっている。
【００３８】
これにより、角部材４２は、常時は、上記した引張バネ４３の附勢力によって図示時計回り方向に回転附勢された状態として、角部４２Ｄを前述した係止体４１の外周面に押し当てた回転姿勢状態となって保持されている。したがって、この状態から、ウォークインレバー６の操作が行われて、フロントリンク５がシートバック２の前回転に伴って一定量倒れ込み回転することにより、図７に示されるように、フロントリンク５と一体的となって回転する係止体４１の角部４１Ｄが、この係止体４１の外周面に押し当てられている角部材４２の角部４２Ｄと回転方向に突き当たった状態となって、フロントリンク５の倒れ込み回転が係止されて途中止めされた状態となる。
【００３９】
ここで、図２に戻って、上記した角部材４２の図示下方側に延び出したケーブル操作部４２Ｃには、第２解除ケーブル９が繋がれている。この第２解除ケーブル９は、チルトダウンレバー７と繋がれており、図８に示されるように、チルトダウンレバー７の引き上げ操作によって牽引されて、角部材４２を図示反時計回り方向に回転操作するようになっている。そして、この操作により、角部材４２は、角部４２Ｄを係止体４１の外周面から引き離すように回転操作されて、フロントリンク５が倒れ込み回転しても、角部４２Ｄに係止体４１の角部４１Ｄが突き当たらない状態、すなわち、フロントリンク５の途中止めをしないストッパ機能しない状態へと切換えられる。
【００４０】
このとき、角部材４２の回転操作によって、引張バネ４３の附勢ラインである中心ライン４３Ａが、支軸４２Ａの軸心（角部材４２の回転中心）を図示下方側に越えることにより、引張バネ４３が角部材４２を回転附勢する附勢方向が図示反時計回り方向に切換えられる。これにより、角部材４２は、上記した附勢方向の切換えられた引張バネ４３の附勢力によって、図示反時計回り方向に回転操作されて、ケーブル操作部４２Ｃを、リンクブラケット３Ｍに形成されたストッパ３Ｍｓに当接させた回転姿勢状態となって保持されるようになる。
【００４１】
したがって、この状態では、第２解除ケーブル９の牽引操作がやめられても、角部材４２は、上記した引張バネ４３の附勢力によって、ストッパ３Ｍｓに当接した回転姿勢状態のまま保持されることとなる。ところで、前述した第２解除ケーブル９は、チルトダウンレバー７と繋がれた側の端部から途中で四股に分岐されており、その分岐されたうちの二つの端部が、上述した各側の角部材４２のケーブル操作部４２Ｃと繋がれている。そして、第２解除ケーブル９の分岐されたうちの残り二つの端部は、前述した各側の解除リンク３０と繋がれている。
【００４２】
これにより、図８に示されるように、チルトダウンレバー７の引き上げ操作が行われることにより、各側の角部材４２がそれらの角部４２Ｄを係止体４１の外周面から引き離した退避状態（ストッパ機能しない状態）へと切換えられると共に、各側の解除リンク３０がシートバック２の脚部２Ｂによって押し蹴られることのない退避位置へと引き込まれるようになっている。そしてこれにより、ストッパ構造４０は、フロントリンク５がシートバック２の前倒れ回転に伴って倒れ込み回転しても、このフロントリンク５の倒れ込み回転を途中止めすることなく、フロントリンク５の倒れ込み回転を大倒し位置まで許容するようになっている（図１０参照）。
【００４３】
ここで、上述したチルトダウンレバー７は、詳細は後述するが、その引き上げ操作に伴って、その操作の途中（図８の状態）から、前述したウォークインレバー６を一緒に引き上げ操作することができるように構成されている。これにより、車両用シート１は、チルトダウンレバー７の引き上げ操作によって、シートバック２がシートクッション３の上面部に重なる位置まで前方側に大きく倒し込み操作されるようになっている。
【００４４】
そして、このシートバック２の大倒し移動に伴って、フロントリンク５も前方側に大きく倒し込み操作されるため、シートクッション３も下方側に大きく沈み込み操作されることとなる。これにより、車両用シート１は、フロアＦ上に大きく沈み込んだシートクッション３の上面部にシートバック２が重なるようにして大倒し操作されることとなり、シート全体がフロアＦ上に小さく畳み込まれるようになっている。
【００４５】
ここで、図９に示されるように、上記したフロントリンク５がシートバック２の大倒し操作によって前方側に倒し込まれることにより、このフロントリンク５と一体的となって回転する係止体４１の脚部４１Ｅが、角部材４２のバネ操作部４２Ｂのアーム形状の途中部分に折り曲げ形成された係合部４２Ｅを押し蹴るようにして、角部材４２を引張バネ４３の附勢に抗して図示時計回り方向に押し回すようになっている。
【００４６】
これにより、図１０に示されるように、角部材４２は、角部４２Ｄを係止体４１の外周面に押し当てる回転方向に操作され、引張バネ４３の附勢ラインである中心ライン４３Ａが、支軸４２Ａの軸心（角部材４２の回転中心）を図示上方側に越えた状態となって、引張バネ４３が角部材４２を回転附勢する附勢方向が図示時計回り方向に切換えられる。これにより、角部材４２は、上記した附勢方向の切換えられた引張バネ４３の附勢力によって、図示時計回り方向に回転操作されて、角部４２Ｄを係止体４１の外周面に押し当てた状態となって保持される。
【００４７】
したがって、この状態から、シートバック２を元の着座使用可能な状態に起こし上げるべく、フロントリンク５を後方側に起こし上げることにより、角部材４２は、係止体４１の外周面に押し当てられた角部４２Ｄが、係止体４１の回転運動に伴って係止体４１の外周面上を摺動して、係止体４１の角部４１Ｄの段差を乗り越えて段差下に落ち込んだ状態となる。これにより、角部材４２は、図２で前述した初期のストッパとして機能することのできる状態へと戻される。
【００４８】
続いて、上述したウォークインレバー６及びチルトダウンレバー７の操作構造について、図２、図４〜図６を参照しながら詳しく説明していく。すなわち、図２を参照して、これらウォークインレバー６及びチルトダウンレバー７は、クッションフレーム３Ｆの側部に固定設置されたレバーブラケット３Ｎに対して回転操作可能に軸支連結されている。
【００４９】
詳しくは、図５に良く示されるように、ウォークインレバー６は、その操作把手となる樹脂製の取っ手６Ａが、鋼板製の第１アーム６Ｂと結合されており、この第１アーム６Ｂが、支軸３Ｐによってレバーブラケット３Ｎに回転可能に軸支連結されて設けられている。より詳しくは、支軸３Ｐは、第１アーム６Ｂと溶着されて一体的とされ、レバーブラケット３Ｎに対して軸回転可能に連結されて設けられている。
【００５０】
そして、上記した支軸３Ｐには、鋼板製の第２アーム６Ｃが溶着されて一体的に連結されており、この第２アーム６Ｃの腕の先端部には、前述した第１解除ケーブル８が繋がれている。そして、上記した支軸３Ｐとレバーブラケット３Ｎとの間には、支軸３Ｐに一の回転方向への附勢力をかけて、ウォークインレバー６を操作前の回転位置（図４参照）に保持する捩りバネ３Ｓが掛着されている。
【００５１】
この捩りバネ３Ｓは、ウォークインレバー６を図４における反時計回り方向に回転附勢しており、ウォークインレバー６は、この附勢力を受けて、第１アーム６Ｂ或いは第２アーム６Ｃ（図５参照）を、レバーブラケット３Ｎに形成された図示しない係止部に押し当てることによって回転留めされた状態に保持されている。上記構成のウォークインレバー６は、操作者が取っ手６Ａを把持して引き上げ操作することにより、第１アーム６Ｂと第２アーム６Ｃ（図５参照）とが支軸３Ｐと一体的となって回転操作されて、第１解除ケーブル８を牽引操作する。
【００５２】
これにより、図７に示されるように、第１解除ケーブル８に繋がれた各側のリクライニング装置１０の操作アーム１１が回転操作されて、各側のリクライニング装置１０の回転留め状態が解除操作される。一方、図５に戻って、チルトダウンレバー７は、その操作把手となる樹脂製の取っ手７Ａが、鋼板製の第３アーム７Ｂと結合されており、この第３アーム７Ｂが、前述した支軸３Ｐに対して回転可能に軸支連結されて設けられている。
【００５３】
そして、上記した第３アーム７Ｂの腕の先端部には、前述した第２解除ケーブル９が繋がれている。そして、上記した第３アーム７Ｂとレバーブラケット３Ｎとの間には、第３アーム７Ｂに一の回転方向への附勢力をかけて、チルトダウンレバー７を操作前の回転位置（図４の実線位置）に保持する図示しない附勢バネが掛着されている。
【００５４】
この附勢バネは、チルトダウンレバー７を図４における反時計回り方向に回転附勢しており、チルトダウンレバー７は、この附勢力を受けて、第３アーム７Ｂ（図５参照）を、レバーブラケット３Ｎに形成された図示しない係止部に押し当てることによって回転留めされた状態に保持されている。上記構成のチルトダウンレバー７は、操作者が取っ手７Ａを把持して引き上げ操作することにより、第３アーム７Ｂが回転操作されて、第２解除ケーブル９を牽引操作する。
【００５５】
これにより、図８に示されるように、第２解除ケーブル９に繋がれた各側の角部材４２と各側の解除リンク３０が共に図示反時計回り方向に回転操作される。ところで、図４に示されるように、前述したチルトダウンレバー７は、同図の仮想線で示されるように、その引き上げ操作が途中位置まで行われることにより、その後の引き上げ操作は、ウォークインレバー６を引き連れて行えるようになっている。
【００５６】
具体的には、図６に示されるように、上述したチルトダウンレバー７の取っ手７Ａに結合された第３アーム７Ｂには、取っ手７Ａが引き上げ操作されることによって、ウォークインレバー６の取っ手６Ａに結合された第１アーム６Ｂに下方側から当接する引掛け部７Ｃが折り曲げられて形成されている。この引掛け部７Ｃは、チルトダウンレバー７が上記した途中位置まで引き上げ操作されることによって第１アーム６Ｂの下面と当接し、その後に更なる引き上げ操作が行われることによって、第１アーム６Ｂを押し上げることでウォークインレバー６を一体的に回転させるようになっている。
【００５７】
これにより、車両用シート１は、図１０に示されるように、チルトダウンレバー７の一度の操作によって、各角部材４２及び解除リンク３０の退避移動と各リクライニング装置１０の回転留め状態の解除とがまとめて行われて、フロアＦ上に小さく畳み込み操作されるようになっている。また、上記のようにチルトダウンレバー７とウォークインレバー６との係合が、鉄製の第１アーム６Ｂの引掛け部７Ｃと第３アーム７Ｂとの当接によって行われるようになっていることにより、樹脂製の取っ手６Ａ，７Ａ同士の当たりが生じず、白化防止が図られている。
【００５８】
このように、本実施例の車両用シート１によれば、ストッパ構造４０によってフロントリンク５の倒れ込み回転が途中止めされることにより、シートバック２の前倒れ回転が前傾位置にて途中止めされる。また、ストッパ構造４０がストッパ機能しない状態時には、フロントリンク５の倒れ込み回転は途中止めされず、シートバック２の前倒れ回転が大倒し位置まで行われる。このように、ストッパ構造４０をフロントリンク５とシートクッション３とのリンク連結部に設けてフロントリンク５の倒れ込み回転を規制する構成とすることで、ストッパ構造４０を小型に構成して見栄え良く配置することができる。また、ストッパ構造４０は、引張バネ４３を用いたターンオーバー構造（保持構造）によって、ストッパとして機能する状態と機能しない状態とに切換えたそれぞれの位置にて保持されることから、切換え操作状態を維持する必要がなく、切換え操作の操作性を向上させることができる。
【００５９】
また、係止体４１の角部４１Ｄと角部材４２の角部４２Ｄとが互いに回転方向に突き当たる突き当たり形状は、互いが突き当てられた状態となってからでも、角部材４２を退避させる方向に回転操作することのできる逃がし形状とされている（図８参照）。したがって、係止体４１の角部４１Ｄと角部材４２の角部４２Ｄとがフロントリンク５の前倒れ回転によって突き当たって互いの回転移動を規制し合った状態となってからでも、角部材４２を退避させる方向に回転移動させて、回転規制状態（フロントリンク５の途中止め状態）を解除することができる。
【００６０】
したがって、本実施例では、チルトダウン操作時に、角部材４２の退避移動が先に行われてからリクライニング装置１０の解除操作が行われる構成となっているが、リクライニング装置１０の解除操作が先に行われてフロントリンク５の倒れ込み回転が係止体４１と角部材４２との突き当たりによって途中止めされた状態となってからでも、角部材４２を退避移動させて途中止め状態を解除操作することができる。
【００６１】
以上、本発明の実施形態を一つの実施例を用いて説明したが、本発明は上記実施例のほか各種の形態で実施ができるものである。例えば、上記実施例では、シートバックの前倒れ回転に連動して、フロントリンクが前方側に倒れ込んでシートクッションが下方側に沈み込む形態を例示したが、フロントリンクが後方側に倒れ込んでシートクッションが沈み込む形態のものであってもよい。
【００６２】
また、ストッパ構造について、通常時及びウォークイン操作時にストッパ機能する状態とされていて、チルトダウン操作が行われることによってストッパ機能しない状態に切換えられる構成を例示したが、逆の切換えとなっているものであってもよい。すなわち、通常時及びチルトダウン操作時にストッパ機能しない状態とされていて、ウォークイン操作が行われることによってストッパ機能する状態に切換えられる構成である。
【００６３】
また、上記実施例では、チルトダウンレバーの操作によってウォークインレバーの操作がひとまとめに行われて、先に、チルトダウンレバーの操作によってストッパ構造がストッパ機能しない状態に切換えられてから、ウォークインレバーの操作が働いてシートバックの前倒れ回転が行われる構成を示した。しかし、本発明の構成は、先にウォークインレバーの操作を行って、シートバックを前傾位置にて途中止めした状態としてから、チルトダウンレバーの操作を行ってストッパ構造を機能しない状態に切換えて、シートバックを大倒しさせるものであってもよい。但し、この場合には、ストッパ構造にシートバックやシートクッションの倒れ込みに伴う重量がかかるため、途中止めの解除操作荷重が重くなってしまうことに留意が必要である。
【００６４】
また、シートバックを前傾位置まで倒し込むウォークイン操作によって、スライダ装置のスライドロック状態が解除操作される構成を例示したが、特に、スライダ装置のスライドロック状態は解除されないものであっても構わない。
【００６５】
また、ストッパ構造をストッパ機能する状態とストッパ機能しない状態とに切換えたそれぞれの位置に附勢によって保持する保持構造として、角部材の回転運動によって引張バネによる附勢方向が切換えられるターンオーバー構造を示したが、このターンオーバー構造は、角部材が直線運動等の他の運動形態によって運動するタイプにも採用することができる。
【図面の簡単な説明】
【００６６】
【図１】実施例１の車両用シートの概略構成図である。
【図２】車両用シートの着座使用状態を表した構成図である。
【図３】ストッパ構造の断面構造を表した図２のIII-III線断面図である。
【図４】各レバーの操作構造を拡大して表した側面図である。
【図５】図４のV-V線断面図である。
【図６】各レバーの操作構造を背裏側から見た斜視図である。
【図７】ウォークインレバーを操作した状態を表した車両用シートの側面図である。
【図８】チルトダウンレバーを途中位置まで操作した状態を表した車両用シートの側面図である。
【図９】角部材が脚部によって押し蹴られる状態を表した車両用シートの側面図である。
【図１０】チルトダウンレバーを操作した状態を表した車両用シートの側面図である。
【符号の説明】
【００６７】
１      車両用シート
２      シートバック
２Ｆ    バックフレーム
２Ｂ    脚部
３      シートクッション
３Ｆ    クッションフレーム
３Ｄ    ブーメランリンク
３Ｍ    リンクブラケット
３Ｍｓ  ストッパ
３Ｍｄ  バネ掛部
３Ｎ    レバーブラケット
３Ｐ    支軸
３Ｓ    捩りバネ
３Ｔ    支軸
４      ベースフレーム（ベース体）
４Ｂ    バネ掛部
５      フロントリンク（起倒リンク）
５Ａ    支軸
５Ｂ    支軸
６      ウォークインレバー
６Ａ    取っ手
６Ｂ    第１アーム
６Ｃ    第２アーム
７      チルトダウンレバー
７Ａ    取っ手
７Ｂ    第３アーム
７Ｃ    引掛け部
８      第１解除ケーブル
９      第２解除ケーブル
１０    リクライニング装置
１０Ｒ  回転中心
１１    操作アーム
２０    スライダ装置
２１    アッパレール
２２    ロアレール
２２Ａ  バネ掛部
２３    ロック機構部
２４    解除レバー
２５    第３解除ケーブル
２６    引張バネ
３０    解除リンク
３１    支軸
３２    係合ピン
４０    ストッパ構造
４１    係止体
４１Ｄ  角部（係止部）
４１Ｅ  脚部
４２    角部材
４２Ａ  支軸
４２Ｂ  バネ操作部
４２Ｃ  ケーブル操作部
４２Ｄ  角部
４２Ｅ  係合部
４３    引張バネ
４３Ａ  中心線
Ｆ      フロア
【図１】
2010149821.tif 000003
【図２】
2010149821.tif 000004
【図３】
2010149821.tif 000005
【図４】
2010149821.tif 000006
【図５】
2010149821.tif 000007
【図６】
2010149821.tif 000008
【図７】
2010149821.tif 000009
【図８】
2010149821.tif 000010
【図９】
2010149821.tif 000011
【図１０】
2010149821.tif 000012